(57)【要約】【課題】  足載板を用いたくつろいだ快適な作業環境を提供する。【解決手段】  天板と、底板と、前記天板と底板を連結支持する支持部材よりなる高さ６０ｃｍ以上の机において、前記底板は足載機能を有し、前記底板の面積は前記天板の面積の６４％以上１４４％以下である。ことを特徴とする机。【選択図】  図２０
2005237937.tif 000002
【特許請求の範囲】
【請求項１】
天板と、底板と、前記天板と底板を連結支持する支持部材よりなる高さ６０ｃｍ以上の机において、
前記底板は足載機能を有し、
前記底板の面積は前記天板の面積の６４％以上１４４％以下である
ことを特徴とする机。
【請求項２】
少なくとも座板と、脚部と、前記座板と脚部を連結支持する支持部材よりなる椅子において、
さらに前記脚部に連結支持される足載板を有し、
前記足載板の面積は天板の面積の６４％以上１４４％以下である
ことを特徴とする椅子。
【請求項３】
前記底板または前記足載板の上面の高さは机設置面より３５ｃｍ以下であることを特徴とする請求項１記載の机または請求項２記載の椅子。
【請求項４】
前記底板または前記足載板の下面の高さは机設置面より１０ｃｍ以上であることを特徴とする請求項１記載の机または請求項２記載の椅子。
【請求項５】
前記底板または前記足載板の上面の素材は設置面である床素材とは異なることを特徴とする請求項１記載の机または請求項２記載の椅子。
【請求項６】
前記底板の上面の高さと、前記足載板の上面の高さは同じであることを特徴とする請求項１、および２記載の机・椅子ユニット。
【請求項７】
前記底板の上面にキャビネット等収納類を設置したことを特徴とする請求項１記載の机。
【請求項８】
前記底板の一辺は、天板より７ｃｍ以上４５ｃｍ以下の範囲で短くしてあることを特徴とする請求項１記載の机。
【発明の詳細な説明】
【技術分野】
【０００１】  本発明は、机および椅子および机・椅子ユニットに関する。
【背景技術】
【０００２】  一般に、机は室内および室外での使用時において、椅子に座って、もしくは立ったまま使用することを前提としている。すなわち設置空間にただの作業空間を提供するに過ぎない機材であった。【０００３】  しかしながら、作業空間における環境の向上が、近年非常に重要視されている。たとえば、机の下は高さで言えば低い空間になるので、暖房効果が十分にいきわたらない。それに対して、机の側部もしくは背板に発熱体を設置する方法が提案されている（特許文献１参照）。また、使用者の足の疲れを考慮して、足載部材を配置する方法が提案されている（特許文献２参照）。
【特許文献１】実用新案公開平７−１１９３５号公報
【特許文献２】特許公開平８−２５２１１５号公報
【発明の開示】
【発明が解決しようとする課題】
【０００４】  上述にのべる特に後者（特許文献２）では、機能として足載板が設置されているだけで、使用するときは履物を履いたまま使用したり、実際に心地よい使用感を実感させるものではなかった。またせっかくの足載板を使用させるような使用者を誘導する仕組みがないので、実際には使用されないことがしばしばある。【０００５】  以上の問題を鑑み、本発明は、足載板を用いたくつろいだ快適な作業環境を提供することを目的とする。
【課題を解決するための手段】
【０００６】  上記目的を達成するために、請求項１に係る発明は、
天板と、底板と、前記天板と底板を連結支持する支持部材よりなる高さ６０ｃｍ以上の机において、前記底板は足載機能を有し、前記底板の面積は前記天板の面積の６４％以上１４４％以下であるである。ことを特徴とする机である。【０００７】  上記目的を達成するために、請求項２に係る発明は、
少なくとも座板と、脚部と、前記座板と脚部を連結支持する支持部材よりなる椅子において、さらに前記脚部に連結支持される足載板を有し、前記足載板の面積は天板の面積の６４％以上１４４％以下であることを特徴とする椅子である。【０００８】  上記目的を達成するために、請求項３に係る発明は、
前記底板または前記足載板の上面の高さは机設置面より３５ｃｍ以下であることを特徴とする請求項１記載の机または請求項２記載の椅子である。【０００９】  上記目的を達成するために、請求項４に係る発明は、
前記底板または前記足載板の下面の高さは机設置面より１０ｃｍ以上であることを特徴とする請求項１記載の机または請求項２記載の椅子である。【００１０】  上記目的を達成するために、請求項５に係る発明は、
前記底板または前記足載板の上面の素材は、設置面である床素材とは異なることを特徴とする請求項１記載の机または請求項２記載の椅子である。【００１１】  上記目的を達成するために、請求項６に係る発明は、
前記底板の上面の高さと、前記足載板の上面の高さは同じであることを特徴とする請求項１、および２記載の机・椅子ユニットである。【００１２】  上記目的を達成するために、請求項７に係る発明は、
前記底板の上面にキャビネット等収納類を設置したことを特徴とする請求項１記載の机である。【００１３】  上記目的を達成するために、請求項８に係る発明は、
前記底板の一辺は、天板より７ｃｍ以上４５ｃｍ以下の範囲で短くしてあることを特徴とする請求項１記載の机である。
【発明の効果】
【００１４】  請求項１に記載した発明により、作業空間に対して適度に広い底板であるので、床とは足を置く感覚が異なる空間を十分に演出でき、その空間に足を置くことにより、非常にくつろいだ感覚を得ることが出来る。また足以外にも、かばんなどモノを置く収納空間としての機能も発揮する。【００１５】  請求項２に記載した発明により、着座空間に対して適度に広い底板であるので、床とは異なる空間を十分に演出でき、その空間に足を置くことにより、非常にくつろいだ感覚を得ることが出来る。また足以外にも、かばんなどを置く収納空間としての機能も発揮する。【００１６】  請求項３に記載した発明により、足載板の高さが、机の設置面である床から大きく離れることが無いので、机上での作業感覚を失うことが無い。【００１７】  請求項４に記載した発明により、足載板の高さが、適度にとってあり、そのため机の設置面である床面との間に空間を設けることが出来、靴を前記空間に収納することが出来る。これは、靴を脱がせることを誘導する機能も発揮する。また、収納を誘導する機能も発揮する。【００１８】  請求項５に記載した発明により、作業空間における作業環境を、非常にくつろいだものにすることが出来る。さらには靴を脱がせることを誘導する機能も発揮する。【００１９】  請求項６に記載した発明により、机と椅子の足載板の高さが一致し、一体化した足載空間を構成することが出来るので、さらにくつろいだ感覚を演出できる。【００２０】  請求項７に記載した発明により、キャビネット等の収納類を、まるで使用者の部屋に適宜配置するような、自由な設置が可能になる。【００２１】  請求項８に記載した発明により、非使用時の椅子の机への収納が可能になる。また使用時においても、椅子を机のほうに寄せて使用することが可能になり、作業性が増す。
【発明を実施するための最良の形態】
【００２２】  以下、図面を参照しながら、本発明の実施形態について説明する。【００２３】  図１乃至図２は、本発明における高さ６０ｃｍ以上の机である第一の実施形態に係る。図１は本発明の第一の実施形態に係る構成を説明する分解斜視図である。図２は本発明の第一の実施形態に係る構成を説明する組立斜視図である。接合方法は接着や、ねじ、くぎ、金物などにより接合されている。天板１０１と底板１０２は支持部材である側板１０３Ｌ、１０３Ｒにより連結支持されている。このとき、底板１０２の面積は天板１０１の面積の６４％から１００％に設定されるので、単なる底板としてだけではなく、床面としての機能を発揮する。このとき、床とは基本的に異なるため、床とは異なる空間を十分に演出でき、その空間に足を置くことにより、非常にくつろいだ感覚を得ることが出来る。前記面積は８０％から９５％に設定されるとよりいっそう効果が増す。また、底板１０２の上面は高さＨ１が３５ｃｍ以下となるように設定することにより、足載板である底板１０２の高さが、机の設置面である床から大きく離れることが無いので、机上での作業感覚を失うことが無い。また、３ｃｍ以上２０ｃｍ以下とすることで、そのバランスは非常に良くなる。また、底板１０２の上面を、床と異なる素材にすることで、作業空間における作業環境を、非常にくつろいだものにすることが出来る。さらには靴を脱がせることを誘導する機能も発揮する。また前記底板１０２の一辺は、Ｄ１に示すように天板１０１より７ｃｍ以上４５ｃｍ以下の範囲で短くしてあるので、非使用時の椅子の机への収納が可能になる。また使用時においても、椅子を机のほうに寄せて使用することが可能になり、作業性が増す。また１０ｃｍ以上２０ｃｍ以下にすることにより、椅子の収納性と、床面積の広さとのバランスがよくなる。【００２４】  図３乃至図４は、本発明における高さ６０ｃｍ以上の机である第二の実施形態に係る。図３は本発明の第二の実施形態に係る構成を説明する分解斜視図である。図４は本発明の第二の実施形態に係る構成を説明する組立斜視図である。接合方法は接着や、ねじ、くぎ、金物などにより接合されている。天板２０１と底板２０２は支持部材である側板２０３Ｌ、２０３Ｒにより連結支持されている。このとき、底板２０２の面積は天板２０１の面積と同じに設定されるので、単なる底板としてだけではなく、床面としての機能を発揮する。このとき、床とは基本的に異なるため、床とは異なる空間を十分に演出でき、その空間に足を置くことにより、非常にくつろいだ感覚を得ることが出来る。また、底板２０２の上面は高さＨ２が３５ｃｍ以下となるように設定することにより、足載板である底板２０２の高さが、机の設置面である床から大きく離れることが無いので、机上での作業感覚を失うことが無い。また、３ｃｍ以上２０ｃｍ以下とすることで、そのバランスは非常に良くなる。また、底板２０２の上面を、床と異なる素材にすることで、作業空間における作業環境を、非常にくつろいだものにすることが出来る。さらには靴を脱がせることを誘導する機能も発揮する。【００２５】  図５乃至図６は、本発明における高さ６０ｃｍ以上の机である第三の実施形態に係る。図５は本発明���第三の実施形態に係る構成を説明する分解斜視図である。図６は本発明の第三の実施形態に係る構成を説明する組立斜視図である。接合方法は接着や、ねじ、くぎ、金物などにより接合されている。天板３０１と底板３０２は支持部材である側板３０３Ｌ、３０３Ｒと、背板３０５により連結支持されている。このとき、底板３０２の面積は天板３０１の面積の６４％から１００％に設定されるので、単なる底板としてだけではなく、床面としての機能を発揮する。このとき、床とは基本的に異なるため、床とは異なる空間を十分に演出でき、その空間に足を置くことにより、非常にくつろいだ感覚を得ることが出来る。前記面積は８０％から９５％に設定されるとよりいっそう効果が増す。また、底板３０２の上面は高さＨ３が３５ｃｍ以下となるように設定することにより、足載板である底板３０２の高さが、机の設置面である床から大きく離れることが無いので、机上での作業感覚を失うことが無い。また、３ｃｍ以上２０ｃｍ以下とすることで、そのバランスは非常に良くなる。また、底板３０２の上面を、床と異なる素材にすることで、作業空間における作業環境を、非常にくつろいだものにすることが出来る。さらには靴を脱がせることを誘導する機能も発揮する。また前記底板３０２の一辺は、Ｄ３に示すように天板３０１より７ｃｍ以上４５ｃｍ以下の範囲で短くしてあるので、非使用時の椅子の机への収納が可能になる。また使用時においても、椅子を机のほうに寄せて使用することが可能になり、作業性が増す。また１０ｃｍ以上２０ｃｍ以下にすることにより、椅子の収納性と、床面積の広さとのバランスがよくなる。また、前記底板３０２の一辺の横幅の一部を１５％以上６０％以下で前記天板３０２の奥行きと同じに設定することで前記底板３０２の上に配置したキャビネット等収納類が机の使用者側に寄せて使用することが可能になり作業性が増す。【００２６】  図７乃至図８は、本発明における高さ６０ｃｍ以上の机である第四の実施形態に係る。図７は本発明の第四の実施形態に係る構成を説明する分解斜視図である。図８は本発明の第四の実施形態に係る構成を説明する組立斜視図である。接合方法は接着や、ねじ、くぎ、金物などにより接合されている。天板４０１と底板４０２は支持部材である側板４０３Ｌ、４０３Ｒにより連結支持されている。このとき、底板４０２の面積は天板４０１の面積の６４％から１００％に設定されるので、単なる底板としてだけではなく、床面としての機能を発揮する。このとき、床とは基本的に異なるため、床とは異なる空間を十分に演出でき、その空間に足を置くことにより、非常にくつろいだ感覚を得ることが出来る。前記面積は８０％から９５％に設定されるとよりいっそう効果が増す。また、底板４０２の上面は高さＨ４が３５ｃｍ以下となるように設定することにより、足載板である底板４０２の高さが、机の設置面である床から大きく離れることが無いので、机上での作業感覚を失うことが無い。また、３ｃｍ以上２０ｃｍ以下とすることで、そのバランスは非常に良くなる。また、底板４０２の上面を、床と異なる素材にすることで、作業空間における作業環境を、非常にくつろいだものにすることが出来る。さらには靴を脱がせること��誘導する機能も発揮する。また前記底板４０２の一辺は、Ｄ４１に示すように天板４０１より７ｃｍ以上４５ｃｍ以下の範囲で短くしてあるので、非使用時の椅子の机への収納が可能になる。また使用時においても、椅子を机のほうに寄せて使用することが可能になり、作業性が増す。また１０ｃｍ以上２０ｃｍ以下にすることにより、椅子の収納性と、床面積の広さとのバランスがよくなる。Ｄ４２に示すように両側において底板４０２を天板４０１に対して７ｃｍ以上４５ｃｍ以下もしくは１０ｃｍ以上２０ｃｍ以下短くすることにより、使用者は両側から同じ効果を得ることが出来る。【００２７】  図９乃至図１０は、本発明における高さ６０ｃｍ以上の机である第五の実施形態に係る。図９は本発明の第五の実施形態に係る構成を説明する分解斜視図である。図１０は本発明の第五の実施形態に係る構成を説明する組立斜視図である。接合方法は接着や、ねじ、くぎ、金物などにより接合されている。天板５０１と底板５０２は支持部材である支柱５０３により連結支持されている。このとき、底板５０２の面積は天板５０１の面積の６４％から１００％に設定されるので、単なる底板としてだけではなく、床面としての機能を発揮する。このとき、床とは基本的に異なるため、床とは異なる空間を十分に演出でき、その空間に足を置くことにより、非常にくつろいだ感覚を得ることが出来る。前記面積は８０％から９５％に設定されるとよりいっそう効果が増す。また、底板５０２の上面は高さＨ５が３５ｃｍ以下となるように設定することにより、足載板である底板５０２の高さが、机の設置面である床から大きく離れることが無いので、机上での作業感覚を失うことが無い。また、３ｃｍ以上２０ｃｍ以下とすることで、そのバランスは非常に良くなる。また、底板５０２の上面を、床と異なる素材にすることで、作業空間における作業環境を、非常にくつろいだものにすることが出来る。さらには靴を脱がせることを誘導する機能も発揮する。また前記底板５０２の一辺は、Ｄ５に示すように天板５０１より７ｃｍ以上４５ｃｍ以下の範囲で短くしてあるので、非使用時の椅子の机への収納が可能になる。また使用時においても、椅子を机のほうに寄せて使用することが可能になり、作業性が増す。また１０ｃｍ以上２０ｃｍ以下にすることにより、椅子の収納性と、床面積の広さとのバランスがよくなる。支持部である支柱５０３が一本であるので使用者は、机の全方位から同じ効果を得ることが出来る。【００２８】  図１１乃至図１２は、本発明における高さ６０ｃｍ以上の机である第六の実施形態に係る。図１１は本発明の第六の実施形態に係る構成を説明する分解斜視図である。図１２は本発明の第六の実施形態に係る構成を説明する組立斜視図である。接合方法は接着や、ねじ、くぎ、金物などにより接合されている。天板６０１と底板６０２は支持部材である支柱６０３ａ〜ｄにより連結支持されている。このとき、底板６０２の面積は天板６０１の面積の６４％から１００％に設定されるので、単なる底板としてだけではなく、床面としての機能を発揮する。このとき、床とは基本的に異なるため、床とは異なる空間を十分に演出でき、その空間に足を置くことにより、非常にくつろいだ感覚を得���ことが出来る。前記面積は８０％から９５％に設定されるとよりいっそう効果が増す。また、底板６０２の上面は高さＨ６が３５ｃｍ以下となるように設定することにより、足載板である底板６０２の高さが、机の設置面である床から大きく離れることが無いので、机上での作業感覚を失うことが無い。また、３ｃｍ以上２０ｃｍ以下とすることで、そのバランスは非常に良くなる。また、底板６０２の上面を、床と異なる素材にすることで、作業空間における作業環境を、非常にくつろいだものにすることが出来る。さらには靴を脱がせることを誘導する機能も発揮する。また前記底板６０２の一辺は、Ｄ５に示すように天板６０１より７ｃｍ以上４５ｃｍ以下の範囲で短くしてあるので、非使用時の椅子の机への収納が可能になる。また使用時においても、椅子を机のほうに寄せて使用することが可能になり、作業性が増す。また１０ｃｍ以上２０ｃｍ以下にすることにより、椅子の収納性と、床面積の広さとのバランスがよくなる。底板６０２は四方からＤ５に示されるように短い辺を有しているので使用者は、机の四方から同じ効果を得ることが出来る。【００２９】  図１３乃至図１４は、本発明における高さ６０ｃｍ以上の机である第七の実施形態に係る。図１３は本発明の第七の実施形態に係る構成を説明する分解斜視図である。図１４は本発明の第七の実施形態に係る構成を説明する組立斜視図である。接合方法は接着や、ねじ、くぎ、金物などにより接合されている。天板７０１と底板７０２は支持部材である側板７０３Ｌ、７０３Ｒにより連結支持されている。このとき、底板７０２の面積は、Ｄ７１・Ｄ７２に示されるように天板７０１の面積の１００％から１４４％に設定されるので、単なる底板としてだけではなく、床面としての機能を発揮する。このとき、床とは基本的に異なるため、床とは異なる空間を十分に演出でき、その空間に足を置くことにより、非常にくつろいだ感覚を得ることが出来る。前記面積は１０５％から１２０％に設定されるとよりいっそう効果が増す。また、底板７０２の上面は高さＨ７が３５ｃｍ以下となるように設定することにより、足載板である底板７０２の高さが、机の設置面である床から大きく離れることが無いので、机上での作業感覚を失うことが無い。また、３ｃｍ以上２０ｃｍ以下とすることで、そのバランスは非常に良くなる。また、底板７０２の上面を、床と異なる素材にすることで、作業空間における作業環境を、非常にくつろいだものにすることが出来る。さらには靴を脱がせることを誘導する機能も発揮する。【００３０】  図１５乃至図１７は、本発明における椅子である第八、九、十の実施形態に係る。図１５は本発明の第八の実施形態に係る構成を説明する分解斜視図である接合方法は接着や、ねじ、くぎ、金物などにより接合されている。図１６は本発明の第九の実施形態に係る構成を説明する組立斜視図である。図１７は本発明の第十の実施形態に係る構成を説明する組立斜視図である。【００３１】  図１５では、天板８０１ａと底板８０２ａは支持部材である支柱８０３ａにより連結支持されている。このとき、底板８０２ａの面積は天板８０１ａの面積の６４％から１００％に設定されるので、単なる底板としてだけではなく、床面���しての機能を発揮する。このとき、床とは基本的に異なるため、床とは異なる空間を十分に演出でき、その空間に足を置くことにより、非常にくつろいだ感覚を得ることが出来る。前記面積は８０％から９５％に設定されるとよりいっそう効果が増す。また、底板８０２ａの上面は高さＨ８ａが３５ｃｍ以下となるように設定することにより、足載板である底板８０２の高さが、机の設置面である床から大きく離れることが無いので、机上での作業感覚を失うことが無い。また、３ｃｍ以上２０ｃｍ以下とすることで、そのバランスは非常に良くなる。また、底板８０２ａの上面を、床と異なる素材にすることで、作業空間における作業環境を、非常にくつろいだものにすることが出来る。さらには靴を脱がせることを誘導する機能も発揮する。また前記底板８０２ａの一辺は、天板８０１ａより７ｃｍ以上４５ｃｍ以下の範囲で短くしてあるので、非使用時の椅子の机への収納が可能になる。また使用時においても、椅子を机のほうに寄せて使用することが可能になり、作業性が増す。また１０ｃｍ以上２０ｃｍ以下にすることにより、椅子の収納性と、床面積の広さとのバランスがよくなる。【００３２】  図１６では、天板８０１ｂと底板８０２ｂは支持部材である支柱８０３ｂにより連結支持されている。このとき、底板８０２ｂの面積は天板８０１ｂの面積と同じに設定されるので、単なる底板としてだけではなく、床面としての機能を発揮する。このとき、床とは基本的に異なるため、床とは異なる空間を十分に演出でき、その空間に足を置くことにより、非常にくつろいだ感覚を得ることが出来る。また、底板８０２ｂの上面は高さＨ８ｂが２０ｃｍ以下となるように設定することにより、足載板である底板８０２ｂの高さが、３５ｃｍ以下となるように設定することにより、足載板である底板８０２の高さが、机の設置面である床から大きく離れることが無いので、机上での作業感覚を失うことが無い。また、３ｃｍ以上２０ｃｍ以下とすることで、そのバランスは非常に良くなる。また、底板８０２ｂの上面を、床と異なる素材にすることで、作業空間における作業環境を、非常にくつろいだものにすることが出来る。さらには靴を脱がせることを誘導する機能も発揮する。【００３３】  図１７では、天板８０１ｃと底板８０２ｃは支持部材である支柱８０３ｃにより連結支持されている。このとき、底板８０２ｃの面積は、天板８０１ｃの面積の１００％から１４４％に設定されるので、単なる底板としてだけではなく、床面としての機能を発揮する。このとき、床とは基本的に異なるため、床とは異なる空間を十分に演出でき、その空間に足を置くことにより、非常にくつろいだ感覚を得ることが出来る。前記面積は１０５％から１２０％に設定されるとよりいっそう効果が増す。また、底板８０２ｃの上面は高さＨ８ｃが２０ｃｍ以下となるように設定することにより、足載板である底板８０２ｃの高さが、３５ｃｍ以下となるように設定することにより、足載板である底板８０２の高さが、机の設置面である床から大きく離れることが無いので、机上での作業感覚を失うことが無い。また、３ｃｍ以上２０ｃｍ以下とすることで、そのバランスは非常に良くなる。また、底板８０２ｃの上面を、床と異なる素材にすることで、作業空間における作業環境を、非常にくつろいだものにすることが出来る。さらには靴を脱がせることを誘導する機能も発揮する。【００３４】  図１８乃至図１９は、本発明における机・椅子ユニットである第十一の実施形態に係る。図１８，１９は本発明の第十一の実施形態に係る構成を説明する斜視図である。接合方法は接着や、ねじ、くぎ、金物などにより接合されている。図１８は本発明による机１０Ａ、本発明による椅子１０Ｂ、キャビネットである１０Ｃを示してある。キャビネット１０Ｃは机１０Ａの底板上部に収納されている。この位置は底板の上であれば、どこでも変更可能であるため、家具の配置換えのように場所を変えることが出来る。椅子１０Ｂの底板の高さＨ１０Ｂは、机１０Ａの底板の高さＨ１０Ａと同じにしてあるため、椅子も含めた一体感のあるくつろぎ空間を提供することが出来る。【００３５】  図２０乃至図２１は、本発明における高さ６０ｃｍ以上の机である第十二の実施形態に係る。図２０は本発明の第十二の実施形態に係る構成を説明する斜視図である。図２１は本発明の第十二の実施形態に係る構成を説明する正面図である。接合方法は接着や、ねじ、くぎ、金物などにより接合されている。図１８は本発明による机１１Ａ、本発明による椅子１１Ｂ、キャビネットである１１Ｃを示してある。キャビネット１１Ｃは机１１Ａの底板上部に収納されている。この位置は底板の上であれば、どこでも変更可能であるため、家具の配置換えのように場所を変えることが出来る。椅子１１Ｂの底板の高さは、机１１Ａの底板の高さＨ１１Ｂと同じにしてあるため、椅子も含めた一体感のあるくつろぎ空間を提供することが出来る。さらに底板の下面部の高さＨ１１ａは机設置面より１０ｃｍ以上であるので、足載板の高さが、適度にとってあり、そのため机の設置面である床面との間に空間を設けることが出来、靴を前記空間に収納することが出来る。これは、靴を脱がせることを誘導する機能も発揮する。【００３６】  特に、素材においては、すべての実施例において、国産広葉樹、国産針葉樹、北米産広葉樹北米産針葉樹、南洋材、樹皮、合板、集成材、竹などの木材であれば、日本の木造建築の板の間の様な空間性を演出できる。【００３７】  またウール、ナイロンなどカーペット類では洋室の様な空間性を演出できる。この洋室感は、設置床とは異なる素材であるので、履物を脱いで、くつろぐ雰囲気を演出する。【００３８】  また畳であれば、和室の様な空間性を演出できる。この和室感は、設置床とは異なる素材であるので、履物を脱いで、くつろぐ雰囲気を演出する。【００３９】  石材系や金属系、樹脂系素材でも、設置床素材と異なるものにすることにより、履物を脱いで、くつろぐ雰囲気を演出することが可能になる。【００４０】  また人工芝や天然芝、さらには砂などの屋外素材を敷き詰めることにより、履物を脱いで屋外でくつろぐ感覚の演出が可能になる。【００４１】  さらには、マッサージ突起（足ふみマット、青竹ふみ、石ころ）などにすることにより、履物を脱いでマッサージ効果を得ようと、履物を脱ぐ行為を誘導できる。【００４２】  床暖房を入れれば、やはり快適感を得ようと、履物を脱がせることが可能である。これは蓄熱素材や保温素材などでも代用できる。【００４３】  逆に、冷却シートなどを設置できるようにすれば、夏場などの足の蒸れなどに効果的である。これは清涼素材などでも代用できる。【００４４】  活性炭やカテキンなどの消臭物質の入った素材を用いることにより、履物を脱いだ後の、足のにおいを抑えることが可能になる。これには抗菌系素材を用いても良い。【００４５】  図２２乃至図２３は、本発明における高さ６０ｃｍ以上の机と椅子の実使用例である第十三の実施形態に係る。図２２は本発明の第十三の実施形態に係る構成を説明する横断面図である。図２３は本発明の第十三の実施形態に係る構成を説明する使用図である。机１２０１は一般的な机である。椅子１２０２と椅子１２０３には、足置き板が設置されており、椅子１２０３にかばん等ものを収納できる。【００４６】  図２４乃至図２５、本発明における高さ６０ｃｍ以上の机と椅子の実使用例である第十四の実施形態に係る。図２４は本発明の第十四の実施形態に係る構成を説明する横断面図である。図２５は本発明の第十四の実施形態に係る構成を説明する使用図である。机１３０１は通常の机である。椅子１３０２と椅子１３０３には、それぞれの椅子の座面より広い足置き板が設置されており、椅子の下にかばん等ものを収納するだけではなく、使用者は靴を脱いで、くつろぐことが出来る。【００４７】  図２６乃至図２７は、本発明における高さ６０ｃｍ以上の机と椅子の実使用例である第十五の実施形態に係る。図２６は本発明の第十五の実施形態に係る構成を説明する横断面図である。図２７は本発明の第十五の実施形態に係る構成を説明する使用図である。机１４０１には足置き板が設置されており、椅子１４０２、椅子１４０３は通常の椅子である。使用者は履物を脱ぎ、椅子の下に収納し、かばん等ものを机の下に収納している。また足置き板があるので、履物を脱いでくつろぐことが出来る。【００４８】  図２８乃至図２９は、本発明における高さ６０ｃｍ以上の机と椅子の実使用例である第十六の実施形態に係る。図２８は本発明の第十六の実施形態に係る構成を説明する横断面図である。図２９は本発明の第十六の実施形態に係る構成を説明する使用図である。机１５０１、椅子１５０２、椅子１５０３のいずれにも足置き板が設置されている。かばん等ものは椅子の下にも机の下にも収納できる。また、履物を脱いで、くつろぐことが可能である。【００４９】  図３０乃至図３１は、本発明における高さ６０ｃｍ以上の机と椅子の実使用例である第十七の実施形態に係る。図３０は本発明の第十七の実施形態に係る構成を説明する横断面図である。図３１は本発明の第十七の実施形態に係る構成を説明する使用図である。机１６０１、椅子１６０２、椅子１６０３のいずれにも足置き板が設置されている。かばん等ものは椅子の下にも机の下にも収納できる。また、履物を脱いで、くつろぐことが可能である。とくに、椅子１６０２、椅子１６０３の足置き板が大きくなっており、机の足置き板とほぼ接触しているので、広く一体感のある、足置き空間が構成されている。
【産業上の利用可能性】
【００５０】  本発明を適用することにより、作業空間に対して適度に広い底板であるので、床とは異なる空間性を十分に演出でき、その空間に足を置くことにより、非常にくつろいだ感覚を得ることが出来、作業性が向上できる。
【図面の簡単な説明】
【００５１】
【図１】本発明の第一の実施形態を説明する分解斜視図である。
【図２】本発明の第一の実施形態を説明する組立斜視図である。
【図３】本発明の第二の実施形態を説明する分解斜視図である。
【図４】本発明の第二の実施形態を説明する組立斜視図である。
【図５】本発明の第三の実施形態を説明する分解斜視図である。
【図６】本発明の第三の実施形態を説明する組立斜視図である。
【図７】本発明の第四の実施形態を説明する分解斜視図である。
【図８】本発明の第四の実施形態を説明する組立斜視図である。
【図９】本発明の第五の実施形態を説明する分解斜視図である。
【図１０】本発明の第五の実施形態を説明する組立斜視図である。
【図１１】本発明の第六の実施形態を説明する分解斜視図である。
【図１２】本発明の第六の実施形態を説明する組立斜視図である。
【図１３】本発明の第七の実施形態を説明する分解斜視図である。
【図１４】本発明の第七の実施形態を説明する組立斜視図である。
【図１５】本発明の第八の実施形態を説明する組立斜視図である。
【図１６】本発明の第九の実施形態を説明する組立斜視図である。
【図１７】本発明の第十の実施形態を説明する組立斜視図である。
【図１８】本発明の第十一の実施形態を説明する斜視図である。
【図１９】本発明の第十一の実施形態を説明する斜視図である。
【図２０】本発明の第十二の実施形態を説明する斜視図である。
【図２１】本発明の第十二の実施形態を説明する正面図である。
【図２２】本発明の第十三の実施の形態を示す横断面図である。
【図２３】本発明の第十三の実施の形態を示す使用図である。
【図２４】本発明の第十四の実施の形態を示す横断面図である。
【図２５】本発明の第十四の実施の形態を示す使用図である。
【図２６】本発明の第十五の実施の形態を示す横断面図である。
【図２７】本発明の第十五の実施の形態を示す使用図である。
【図２８】本発明の第十六の実施の形態を示す横断面図である。
【図２９】本発明の第十六の実施の形態を示す使用図である。
【図３０】本発明の第十七の実施の形態を示す横断面図である。
【図３１】本発明の第十七の実施の形態を示す使用図である。
【符号の説明】
【００５２】１０１    天板
１０２    底板
１０３Ｌ  左側支持部材（側板）
１０４Ｒ  右側支持部材（側板）
【図１】
2005237937.tif 000003
【図２】
2005237937.tif 000004
【図３】
2005237937.tif 000005
【図４】
2005237937.tif 000006
【図５】
2005237937.tif 000007
【図６】
2005237937.tif 000008
【図７】
2005237937.tif 000009
【図８】
2005237937.tif 000010
【図９】
2005237937.tif 000011
【図１０】
2005237937.tif 000012
【図１１】
2005237937.tif 000013
【図１２】
2005237937.tif 000014
【図１３】
2005237937.tif 000015
【図１４】
2005237937.tif 000016
【図１５】
2005237937.tif 000017
【図１６】
2005237937.tif 000018
【図１７】
2005237937.tif 000019
【図１８】
2005237937.tif 000020
【図１９】
2005237937.tif 000021
【図２０】
2005237937.tif 000022
【図２１】
2005237937.tif 000023
【図２２】
2005237937.tif 000024
【図２３】
2005237937.tif 000025
【図２４】
2005237937.tif 000026
【図２５】
2005237937.tif 000027
【図２６】
2005237937.tif 000028
【図２７】
2005237937.tif 000029
【図２８】
2005237937.tif 000030
【図２９】
2005237937.tif 000031
【図３０】
2005237937.tif 000032
【図３１】
2005237937.tif 000033